(57)【要約】  【課題】  洗濯かごから洗濯物を干す際に、洗濯かご内の洗濯物の所在をわかりやすくすることを課題とする。  【解決手段】  長方形の底面部とこの底面部の三つの縁部から立設される側面部よりなるバケット本体と、前記バケット本体の底面部の残りの縁部に設けられる折りたたみ可能な底面である伸張底面部と、前記バケット本体の底面部の残りの縁部の両端に現れる二側面部のそれぞれの縁部に設けされる折りたたみ可能な側面である伸張側面部と、前記伸張底面部と前記伸張側面部のバケット本体とは反対側の縁部に設けられる移動側面部とを有する洗濯かごにより、側面方向に底面部と側面部を伸張可能とする。【選択図】  図１
2006167013.tif 000002
【特許請求の範囲】
【請求項１】
底面部とこの底面部の外周から立設される側面部とから構成される洗濯かごであって、側面の一方向に底面部および側面部が伸張する洗濯かご。
【請求項２】
長方形の底面部とこの底面部の三つの縁部から立設される側面部よりなるバケット本体と、
前記バケット本体の底面部の残りの縁部に設けられる折りたたみ可能に形成された底面である伸張底面部と、
前記バケット本体の底面の残りの縁部の両端に現れる二側面のそれぞれの縁部に設けられる折りたたみ可能に形成された側面である伸張側面部と、
前記伸張底面と前記伸張側面の前記バケット本体とは反対側の縁部に設けられる移動側面部と
を有する請求項１に記載の洗濯かご。
【請求項３】
長方形の底面部とこの底面部の三つの縁部から立設される側面部よりなるバケット本体と、
前記バケット本体の底面部に重なり、残りの縁部方向にスライド可能に形成された底面である伸張底面部と、
前記バケット本体の底面の残りの縁部の両端に現れる二側面部にそれぞれ重なり、この残りの縁部方向にスライド可能に形成された側面である伸張側面部と、
前記伸張底面と前記伸張側面の前記バケット本体とは反対側の縁部に設けられる移動側面部と
を有する請求項１に記載の洗濯かご。
【請求項４】
前記移動側面部およびこの移動側面部に対向する前記バケット本体の側面部に、持ち手を設けた請求項２又は３に記載の洗濯かご。
【請求項５】
少なくとも１の伸張側面部とこれに連なる側面部とが外面側へ傾斜するように稼働可能に形成された請求項２から４のいずれか１項に記載の洗濯かご。
【請求項６】
前記伸張底面部および前記伸張側面部が伸張していない状態で固定可能に形成された請求項２から５のいずれか１項に記載の洗濯かご。
【発明の詳細な説明】
【技術分野】
【０００１】
本発明は洗濯物を入れて持ち運ぶ洗濯かごに関し、特に、洗濯物を干す際の利便性を高めたかごに関する。
【背景技術】
【０００２】
洗濯物を干す際には、洗濯機により洗濯した洗濯物を、まず、洗濯かごに入れ、これを物干し場まで持って行き、洗濯かごから洗濯物を取り出して、物干し竿等に干して行くのが一般的である。
【発明の開示】
【発明が解決しようとする課題】
【０００３】
ところで、洗濯物を洗濯機から洗濯かごへ移す作業は無作為に行うので、洗濯物は乱雑に洗濯かごに入れられることになる。一方、洗濯かごは、上述のように洗濯物を運ぶものとして使用されるので、持ち運びの利便性が追及される結果として底面が小さく、底が深くなる傾向がある。
このために、洗濯物は縦方向に乱雑に積み重なってしまうので、洗濯物を物干し竿等に干して行く際に、配列を考慮しようとしても、どの洗濯物が洗濯かごのどこにあるのかが容易にわからず、洗濯かご内を掘り返すように洗濯物を探すということがしばしば行われる。この結果、洗濯物を干す際の作業効率が落ち、作業者の負担も大きくなってしまっていた。
本発明は、このような問題に鑑み、洗濯かごから洗濯物を干す際に、洗濯かご内の洗濯物の所在をわかりやすくすることを課題とする。
【課題を解決するための手段】
【０００４】
上記課題を解決するために、本発明は次のような構成を有する。
請求項１に記載の発明は、底面部とこの底面部の外周から立設される側面部とから構成される洗濯かごであって、側面の一方向に底面部および側面部が伸張する洗濯かごである。なお、本願における洗濯かごは、洗濯物を入れる形状があれば足り、必ずしも網目状のかごである必要はない。
請求項２に記載の発明は、前記洗濯かごにおいて、長方形の底面部とこの底面部の三つの縁部から立設される側面部よりなるバケット本体と、前記バケット本体の底面部の残りの縁部に設けられる折りたたみ可能な底面である伸張底面部と、前記バケット本体の底面部の残りの縁部の両端に現れる二側面部のそれぞれの縁部に設けられる折りたたみ可能な側面である伸張側面部と、前記伸張底面部と前記伸張側面部のバケット本体とは反対側の縁部に設けられる移動側面部とを有するものである。
請求項３に記載の発明は、請求項１に記載の洗濯かごにおいて、長方形の底面部とこの底面部の三つの縁部から立設される側面部よりなるバケット本体と、前記バケット本体の底面部に重なり、残りの縁部方向にスライド可能に形成された底面である伸張底面部と、前記バケット本体の底面部の残りの縁部の両端に現れる二側面部にそれぞれ重なり、この残りの縁部方向にスライド可能に形成された側面である伸張側面部と、前記伸張底面部と前記伸張側面部の側方の開放縁に設けられる移動側面部とを有するものである。
請求項４に記載の発明は、前記洗濯かごにおいて、前記移動側面部および前記バケット本体の前記移動側面部に対向する側面部に、持ち手を設けたものである。
請求項５に記載の発明は、請求項２から４のいずれかの洗濯かごにおいて、少なくとも１の伸張側面部とこれに連なる側面部とが外面側へ傾斜するように稼働可能に形成されたものである。
請求項６に記載の発明は、請求項２から５のいずれかの洗濯かごにおいて、前記伸張底面部および前記伸張側面部が伸張していない状態で固定可能に形成されたものである。
【発明の効果】
【０００５】
請求項１に記載の発明は、側面の一方向に対して、底面部および側面部が伸張するので、洗濯物を運ぶ際には、持ち運びやすいように縮めた状態で洗濯物を入れて持ち運ぶことができるとともに、洗濯物を干す際には、底面部および側面部を伸ばして広くなった底面部分に洗濯物を広げることにより、どの洗濯物がどこにあるかをより容易に確認することができる。
請求項２に記載の発明は、伸縮底面部および伸縮側面部を折りたたむことで伸張を実現するので、バケット本体の構造に影響を与えないので、バケット本体を簡易に構成したり、折りたたみ可能に構成したりすることができる。
請求項３に記載の発明は、伸縮底面部および伸縮側面部を折りたたむ構造とする必要がないので、これらの強度を高めることができ、構造を堅牢にすることができる。
請求項４に記載の発明は、移動側面部とこれに対向する側面部に設けられた持ち手を利用して、物干し竿に洗濯かごを吊下げる際に、持ち手の配列が、底面部および側面部の伸張方向と一致するので、底面部および側面部の伸縮に対して、一方の持ち手の吊下げる位置を物干し竿に沿って移動させることで対応することができる。
請求項５に記載の発明は、伸張側面部とこれに連なる側面部とが外面側へ傾斜するように稼働させることで、広げた底面上の洗濯物をより操作しやすくすることができる。
請求項６に記載の発明は、前記伸張底面部および前記伸張側面部が伸張していない状態で固定することで、縮めた状態で洗濯物を運ぶ際に、不意に底面および側面が伸張せず、安定して洗濯物を運ぶことができる。
【発明を実施するための最良の形態】
【０００６】
以下、本発明の実施形態について、図面を参照しながら説明する。
図１に本実施形態に係る洗濯かごＸの斜視図を示す。洗濯かごＸは、側面及び底面が伸張するものであり、図１は側面および底面が伸張した状態を表している。洗濯かごＸは、底面部１１、底面部１１の３つの縁部に立設される側面部１２ａ、１２ｂ、１２ｃとからなるバケット本体１０と、底面部１１の残りの縁部に連結して設けられる伸張底面部２１、底面部１１の残りの縁部の両端に現れる二側面部１２ｂ、１２ｃのそれぞれの縁部に連結して設けられる伸張側面部２２ｂ、２２ｃと、前記伸張底面部１１と前記伸張側面部２２ｂ、２２ｃの側方のバケット本体１０とは反対側の縁部に設けられる移動側面部２３とから構成される。
底面部１１、伸張底面部２１は板でできた芯材を帆布で覆ったもので形成され、側面部１２ａ、１２ｂ、１２ｃ、伸張側面部２２ｂ、２２ｃ、移動側面部２３は帆布により形成されている。なお、これらの材質は洗濯物を入れる箱体を形成できればどのようなものでも採用することができる。
底面部１１は正方形状であり、真ん中で二つ折ができるようになっている。側面部１２ａ、１２ｂ、１２ｃも底面部１１と同じ大きさの正方形状であり、側面部１２ａと側面部１２ｃとの間の縁部には三角状のマチ１２ａａが設けてある。伸張底面部２１は底面部１１と同じ形状の正方形を２つ連結させた長方形状をしており、やはり、真ん中で二つ折ができるようになっている。伸張側面部２２ｂ、２２ｃも底面部１１と同じ形状の正方形を２つ連結させた長方形状をしており、移動側面部２３は底面部１１と同じ大きさの正方形状をしている。移動側面部２３と伸張側面部２２ｃの間の縁部には上記のマチ１２ａａと同じ形状のマチ２３ａａが形成されている。マチ２３ａａの上辺近傍には、マチを閉じたときに向かい合う面のそれぞれに互いに係合するホック２３ａｂ、２３ａｃが設けられている。なお、マチ１２ａａも図示していないが、同様のホックが設けられている。
移動側面部２３には、ほぼ中央にポケット２３ｂが設けられ、下辺近傍に紐により形成された取っ手２３ｃが設けられている。また、同様の取っ手２１ａが伸張底面部２１のほぼ中央に設けられている。さらに、移動側面部２３と移動側面部２３に対向する側面部１２ａの上辺近傍には紐により形成された持ち手３０が設けられている。また、側面部１２ｃの移動側面部２３ｃ側の上方角部に一端を回動可能に固定されたゴム製のベルト１２ｃａが設けられており、このベルト１２ｃａの裏面と、移動側面部２３の側面部１２ｃ側の上方角部に互いに係合するホック２３ｄ、２３ｅが設けられている。
【０００７】
伸張側面部２２ｂ、２２ｃはそれぞれに設けられた折り目２５ａ、２５ｂにより折りたたみむことができる。伸張側面部２２ｂ、２２ｃを折りたたむには、まず、マチ１２ａａとマチ２３ａａを閉じてホックで固定し、図２に示すような状態にする。この状態で、図３に示すように折り目２５ａを外から見て山折に、折り目２５ｂを外から見て谷折になるように折る、これと同時に、伸張底面部２１を真ん中で折ることで、伸張側面部２２ｂ、２２ｃ、伸張底面部２１は折りたたまれ、図４に示すような状態となる。この状態で、ベルト１２ｃａと移動側面部２３に設けられた各ホックを係合させることで、伸張側面部２２ｂ、２２ｃ、伸張底面部２１を折りたたんだ状態に維持することができる。
さらに、バケット本体１０の側面部１２ｂ、１２ｃも、それぞれに設けられた折り目１５ａ、１５ｂにより折りたたむことができる。すなわち、図に示す折り目１５ａを外からみて山折に、折り目１５ｂを外から見て谷折になるように折り、これと同時に、底面部１１を真ん中で折ることで、図５に示すように側面部１２ｂ、１２ｃ、及び底面部１１も折りたたむことができる。
【０００８】
次に、以上のような構成を有する洗濯かごＸの使用方法について説明する。通常は図５に示す形態にして収納しておく。この際、ポケット２３ｂには洗濯バサミやハンガーなどを収納しておく。そして、洗濯物を干す場合には、洗濯かごＸを図４のような形状としてバケット本体１０内に洗濯した洗濯物を入れ、物干し場へ運ぶ。次に、図６（ａ）の正面図に示すように、Ｓ字フックＡａを用いて、各持ち手３０を物干し竿Ａに引っ掛けて、洗濯かごＸを物干し竿に吊るす。この際の洗濯かごＸの高さは作業者が屈まないで底面部１１に触れることができる程度としておく。この状態で、ベルト１２ｃａと移動側面部２３の間のホックをはずして、取っ手２３ｃを持って伸張方向へ引っ張ることにより、伸張側面部２２ｂ、２２ｃ、移動底面部２１を図６（ｂ）の正面図のように伸張させる。さらに、マチ１２ａａ、２３ａａを止めているホックをはずし、図６（ｃ）の側面図に示すように、側面部１２ｃ、伸張側面部２２ｃを手前側へ倒す。この状態で、底面全体の面積が大きくなるので、物干し竿に干す配列を考えながら、洗濯物を底面全体に広げていく。その後、洗濯物を物干し竿に干して行く。この際、洗濯物は予め配列を考えて広げられているので、効率よく干して行くことができ、また、側面部１２ｃ、伸張側面部２２ｃが手前に倒れているので、より作業を行いやすくなる。作業が終了したら、洗濯かごＸは逆の手順で折りたたんで収納する。この際に、図６（ｂ）から図６（ａ）の状態に移行するところで、取っ手２１ａを持って上方へ上げると、よりスムーズに折りたたむことができる。
【０００９】
なお、上記の実施の形態では、移動底面部２１を板状体により形成したが、これも移動側面部２２ｂ、２２ｃと同様にシート体として、移動底面部２１、移動側面部２２ｂ、２２ｃを図７（ａ）に示すような蛇腹とすることで、移動底面部２１、移動側面部２２ｂ、２２ｃを折りたたみ可能とすることもできる。また、移動底面部２１、移動側面部２２ｂ、２２ｃを折りたたむのではなく、図７（ｂ）に示すように、これらを板状体により形成し、バケット本体１０の底面部１１、側面部１２ｂ、１２ｃに重なるようにスライド可能とすることで伸張するようにすることもできる。なお、移動底面部２１、移動側面部２２ｂ、２２ｃは伸びきったところで抜けないように図示しない抜け止めが設けられている。
【図面の簡単な説明】
【００１０】
【図１】実施形態に係る洗濯かごの伸張状態を示す斜視図である。
【図２】実施形態に係る洗濯かごのマチを閉じたを示す斜視図である。
【図３】実施形態に係る洗濯かごの斜視図である。
【図４】実施形態に係る洗濯かごの移動側面部、移動底面部を折りたたんだ状態を示す斜視図である。
【図５】実施形態に係る洗濯かごの移動側面部、移動底面部、バケット本体を折りたたんだ状態を示す斜視図である。
【図６】（ａ）（ｂ）（ｃ）とも実施の形態に係る洗濯かごの使用状態を示す図である。
【図７】（ａ）（ｂ）とも実施の形態の係る洗濯かごの変形例を示す斜視図である。
【符号の説明】
【００１１】
Ｘ      洗濯かご
１０    バケット本体
１１    底面部
１２ａ、１２ｂ、１２ｃ    側面部
２１    伸張底面部
２２ａ、２２ｂ、２２ｃ    伸張側面部
２３    移動側面部
３０    持ち手
【図１】
2006167013.tif 000003
【図２】
2006167013.tif 000004
【図３】
2006167013.tif 000005
【図４】
2006167013.tif 000006
【図５】
2006167013.tif 000007
【図６】
2006167013.tif 000008
【図７】
2006167013.tif 000009